(57)【要約】【課題】  携帯電話機に装着されているＩＣカードが設定した情報に基づいて携帯電話機の動作モードを変更することができ、利用者の利便性を損なうことなく、携帯電話機の動作モードを状況に適した動作モードに変更させることが可能となる。【解決手段】  ＩＣカードＣは、自動改札機を通過する際に、利用者の入場あるいは出場の可否を判定するための乗車券情報などの情報を自動改札機へ送信し、その情報に基づく当該自動改札機による入場あるいは出場の判定結果を受信し、その判定結果に応じた携帯電話機の動作モードを指定する情報を設定するようにしたものである。【選択図】      図２
2006033292.tif 000002
【特許請求の範囲】
【請求項１】
携帯端末機器に装着される電子装置において、
通行の可否を判定する情報が記憶されている記憶手段と、
この記憶手段に記憶されている情報を通行制御機器へ送信する送信手段と、
この送信手段により送信した情報に対する前記通信制御機器での通行の判定結果を受信する受信手段と、
この受信手段により受信した通行の判定結果に応じて前記携帯端末機器に対して動作モードを指定する情報を設定する設定手段と、
を具備することを特徴とする携帯端末機器に装着される電子装置。
【請求項２】
前記携帯端末機器は、種々の動作モードを有する携帯電話機であって、
前記設定手段は、前記受信手段による通行の判定結果が入場可であった場合に、前記携帯電話機の動作モードを所定の入場後の動作モードに変更させる情報を設定する、
ことを特徴とする前記請求項１に記載の携帯端末機器に装着される電子装置。
【請求項３】
前記携帯端末機器は、着信音の設定が可能な携帯電話機であって、
前記設定手段は、前記受信手段による通行の判定結果が入場可であった場合に、前記携帯電話機の着信音をオフさせる情報を設定する、
ことを特徴とする前記請求項１に記載の携帯端末機器に装着される電子装置。
【請求項４】
前記携帯端末機器は、種々の動作モードを有する携帯電話機であって、
前記設定手段は、前記受信手段による通行の判定結果が入場可であった場合に、前記携帯電話機の動作モードを所定の入場後の動作モードに変更させる情報を設定するとともに、前記携帯電話機の現在の動作モードの設定を示す情報を入場時の設定情報として記憶手段に保存し、
さらに、前記設定手段は、前記受信手段による通行の判定結果が出場可であった場合に、前記記憶手段に保存している入場時の設定情報に基づいて前記携帯電話機の動作モードを入場時の状態に戻させる情報を設定する、
ことを特徴とする前記請求項１に記載の携帯端末機器に装着される電子装置。
【請求項５】
前記携帯端末機器は、着信音の設定が可能な携帯電話機であって、
前記設定手段は、前記受信手段による通行の判定結果が入場可であった場合に、前記携帯電話機の着信音をオフさせる情報を設定するとともに、前記携帯電話の現在の着信音の設定を入場時の設定情報として記憶手段に保存し、
さらに、前記設定手段は、前記受信手段による通行の判定結果が出場可であった場合に、前記記憶手段に保存している入場時の設定情報に基づいて前記携帯電話機の着信音の設定を入場時の状態に戻させる情報を設定する、
ことを特徴とする前記請求項１に記載の携帯端末機器に装着される電子装置。
【発明の詳細な説明】
【技術分野】
【０００１】
この発明は、例えば、携帯電話機などの携帯端末機器に装着され、前記携帯端末機器に装着された状態で外部の通信機器との通信が可能なＩＣカード等の電子装置に関する。
【背景技術】
【０００２】
近年、携帯電話等の携帯端末機器では、ユーザによってＩＣカードを脱着することが可能な構成を有しているものがある。このような携帯電話機などの携帯端末機器に装着されるＩＣカードには、ユーザの個人情報の他に、電子チケットや電子マネー等の種々のサービスを利用するための情報などが記憶される。このようなＩＣカードが装着された携帯端末機器では、ＩＣカード内に記録されている情報を用いてユーザ認証や様々なサービスの利用を可能としている。例えば、交通機関では、駅の改札口等に設置された自動改札機が携帯端末機器に装着されているＩＣカードに記録されている乗車券情報（例えば、金額情報、定期券情報等）などに基づいて入出場処理を行うものが提案されている。
【０００３】
一方、携帯端末機器としての携帯電話機の普及に伴って、携帯電話機の利用マナーが社会問題化してきている。例えば、近年の携帯電話機では着信音の機能設定が多様化してきているが、場所や状況を問わず鳴り響く音に不快感を持つ人も少なくない。一例として、交通機関の電車内やバス内では、携帯電話機を着信音が鳴らないようなモード（以下、マナーモード）に切替ることがマナーとなっている。しかしながら、現状では、電車やバスに乗る際に携帯電話機の設定を上記マナーモードに切替ることを忘れてしまっていたり、操作が面倒であるためマナーモードへの切替えを行っていない利用者が少なくないという問題がある。
【非特許文献１】ＥＴＳＩ  ＴＳ  １０２  ２２１
【発明の開示】
【発明が解決しようとする課題】
【０００４】
この発明は、上記の問題を解決するためになされたものであり、処理内容に応じて当該携帯端末機器の動作モードを変更させることでき、利用者の利便性を損なうことなく、携帯端末機器の使用マナーを向上させることができる携帯端末機器に装着される電子装置を提供することを目的とする。
【課題を解決するための手段】
【０００５】
この発明の携帯端末機器に装着される電子装置は、携帯端末機器に装着されるものにおいて、通行の可否を判定する情報が記憶されている記憶手段と、この記憶手段に記憶されている情報を通行制御機器へ送信する送信手段と、この送信手段により送信した情報に対する前記通信制御機器での通行の判定結果を受信する受信手段と、この受信手段により受信した通行の判定結果に応じて前記携帯端末機器に対して動作モードを指定する情報を設定する設定手段とを有する。
【発明の効果】
【０００６】
この発明によれば、処理内容に応じて当該携帯端末機器の動作モードを変更させることでき、利用者の利便性を損なうことなく、携帯端末機器の使用マナーを向上させることができる携帯端末機器に装着される電子装置を提供できる。
【発明を実施するための最良の形態】
【０００７】
以下、この発明の実施の形態について図面を参照して説明する。  
図１は、この発明の実施の形態に係る携帯端末機器としての携帯電話機１の構成例を示すブロック図である。図１に示す携帯電話機１には、携帯端末機器に装着される電子装置としてのＩＣカードＣが装着される構成となっている。本実施の形態では、特定の仕様に基づいて動作する図１に示すような携帯端末機器としての携帯電話機１に装着される電子装置としてのＩＣカードＣについて説明する。なお、携帯電話機１の特定の仕様とは、例えば、第３世代とよばれる３ＧＰＰ（Third Generation Partnership Project）で標準化された規格である。
【０００８】
図１に示すように、携帯電話機１は、制御部１１、操作部１２、通信部１３、音声部１４、電源部１５、表示部１６、振動部１７、およびＩＣカードソケット１８などを有している。
【０００９】
上記制御部１１は、携帯電話機１全体の制御を司るものである。上記制御部１１は、ＣＰＵ、内部メモリ、各種のインターフェースなどを有している。また、上記制御部１１には、制御プログラムが記憶されている不揮発性メモリとしてのＲＯＭ、作業用のデータを記憶する揮発性メモリとしてのＲＡＭ、及びキーボードなど操作部１２が接続されている。上記制御部１１は、例えば、ＰＬＬ（Phase Locked Loop）回路、データストリーム経路切換え、ＤＭＡ（Direct Memory Access）コントローラ、割り込みコントローラ、タイマ、ＵＡＲＴ（Universal Asynchronous Receiver Transmitter）、秘匿、ＨＤＬＣ（High-level Data Link Control procedure）フレーミング、ＵＳＢディバイスコントローラなどの機能を有している。
【００１０】
上記通信部１３には、携帯電話用のアンテナが接続され、上記携帯電話用のアンテナを介して通話データやデータ通信用の電波の送受信を行う。上記音声部１４は、アナログフロントエンド部及びオーディオ部を有し、音声の入出力を行うものである。上記音声部１４には、スピーカ、レシーバ、マイクなどが接続されている。例えば、上記音声部１４は、スピーカから着信音を出力することにより着信音の出力機能を有している。また、上記音声部１４は、受話部としてのレシーバから音声を出力し、送話部としてのマイクから音声を入力したりする機能を有している。
【００１１】
上記電源部１５は、バッテリーなどにより構成され、当該携帯電話機１内の各部に電源を供給するようになっている。また、上記電源部１５は、上記ＩＣカードソケット１８を介してＩＣカードＣに電源を供給する機能も有している。上記表示部１６は、液晶表示装置などにより構成される表示部への表示制御を行うものである。上記振動部１７は、当該携帯電話機１全体を振動させる振動機構により構成される。上記振動部１７は、上記制御部１１による振動機能の設定に基づいて当該携帯電話機１を振動させるようになっている。
【００１２】
上記音声部１４による着信音の出力、および、上記振動部１７による振動は、上記制御部１１による設定に基づいて機能するようになっている。例えば、上記制御部１１により着信音がオンに設定されている場合、上記音声部１４は、電話やメールの着信あるいはアラーム設定時間に応じて予め設定されている着信音を出力するようになっている。また、上記制御部１１により振動がオンに設定されている場合、上記振動部１７は、電話やメールの着信あるいはアラーム設定時間に応じて予め設定されている振動パターンにて当該携帯電話機１を振動させるようになっている。なお、上記着信音をオフし、振動をオンとする設定をマナーモードと呼ぶものとする。
【００１３】
また、上記ＩＣカードソケット１８は、ＩＣカードＣが装着されるソケットである。上記ＩＣカードソケット１８に装着されるＩＣカードＣは、例えば、特定の仕様に基づいて動作する携帯電話機１に対応するＵＩＭ（User Identity Module）カードあるいはＵＳＩＭ（Universal Subscriber Identity Module）カードと呼ばれるものである。
【００１４】
上記ＩＣカードソケット１８には、上記制御部１１に接続されているとともに上記ＩＣカードＣが外部の通信装置としての自動改札機２０との無線通信を行うためのアンテナ１９に接続されている。上記アンテナ１９は、上記ＩＣカードソケット１８に装着されたＩＣカードＣからの信号を無線電波として送受信するものである。すなわち、上記ＩＣカードソケット１８は、装着されたＩＣカードＣが上記制御部１１とのデータの送受信と上記アンテナ１９を用いた外部の通信装置との無線通信とを実現できるように構成される。なお、上記ＩＣカードＣ内に自動改札機２０との無線通信を行うためのアンテナが設置される場合には上記携帯電話機１内のアンテナ１９は省略しても良い。
【００１５】
また、本実施の形態では、上記携帯電話機１に装着されるＩＣカードＣが無線通信を行う外部の通信装置として駅の改札口等に設置される自動改札機（通行制御装置）２０を想定するものとする。従って、上記自動改札機２０は、図１に示すように、上記ＩＣカードＣとの無線通信を行う無線通信ユニット２１を具備するものとする。
【００１６】
また、上記自動改札機２０は、上記ＩＣカードＣとの無線通信によって上記ＩＣカードＣから取得する情報（乗車券情報等）に基づいて通行（入出場）を制御する機能を有している。すなわち、上記自動改札機２０は、上記無線通信ユニット２１による上記ＩＣカードＣとの無線通信にてＩＣカードＣ内に記憶されている情報を読み取り、そのＩＣカードＣから読み取った情報に基づいて通行の可否を判断し、その判断結果に基づいて当該ＩＣカードの所持者に対する通行制御を行うようになっている。
【００１７】
次に、上記ＩＣカードＣについて説明する。  
図２は、上記携帯電話機１のＩＣカードソケット１８に装着可能なＩＣカードＣの構成例を示すブロック図である。  
上記ＩＣカードＣは、図２に示すように、制御素子３０、ＲＡＭ３１、ＲＯＭ３２、不揮発性メモリ３３、入出力インターフェース３４、および無線通信部３５などを有している。なお、図２に示すようなＩＣカードＣの各部は、上記携帯電話機１に装着された状態において上記携帯電話機１の電源部１５からの電源供給を受けて動作するようになっている。
【００１８】
上記制御素子３０は、当該ＩＣカードＣ全体の制御を司るものである。上記制御素子３０は、上記ＲＯＭ３２あるいは上記不揮発性メモリ３３に記憶されている制御プログラムに基づいて動作する。上記ＲＡＭ３１は、作業用のデータ等を一時的に記憶する揮発性のメモリである。上記ＲＯＭ３２は、不揮発性の記憶素子により構成され、予め制御プログラムや制御データなどが記憶されている。
【００１９】
上記不揮発性メモリ３３は、書換え可能な不揮発性のメモリにより構成される。すなわち、上記不揮発性メモリ３３は、上記制御素子３０の制御によってデータの書込み、及び、データの書き換えが可能な不揮発性の記憶手段である。また、上記不揮発性メモリ３３には、後述するような上記自動改札機２０での入出場処理に使用される乗車券情報、入場情報、出場情報などの情報や携帯電話機１の動作モードを指定する情報としての入場フラグおよび出場フラグがセットされる記憶領域３３ａが設けられている。
【００２０】
上記入出力インターフェース３４は、上記携帯電話機１側のＩＣカードソケット１８と接続されるインターフェースである。また、上記無線通信部３５は、上記携帯電話機１内のアンテナ１９を介して外部の通信装置としての自動改札機２０との無線通信を行うものである。すなわち、上記入出力インターフェース３４は、上記ＩＣカードソケット１８を介して上記携帯電話機１の制御部１１に接続して制御素子３０と制御部１１とのデータの送受信を行う実現するとともに、上記携帯電話機１内のアンテナ１９に接続して上記無線通信部３５によるＩＣカードＣと上記自動改札機２０との無線通信を実現している。
【００２１】
例えば、上記ＩＣカードＣの制御素子３０は、上記不揮発性メモリ３３に記憶されているコマンドに基づいて上記入出力インターフェース３４を介して上記携帯電話機１の制御部１１とのデータの送受信を行う。また、上記ＩＣカードＣの無線通信部３５は、所定の通信プロトコルに基づいて、上記入出力インターフェース３４を介して上記携帯電話機１内のアンテナ１９により無線通信用のデータ（信号）を送受信することにより自動改札機２０との無線通信を行うようになっている。
【００２２】
次に、上記ＩＣカードＣによる上記自動改札機２０での入出場処理について説明する。  
図３は、上記ＩＣカードＣによる上記自動改札機２０での入場処理を説明するためのフローチャートである。  
上記自動改札機２０では、待機状態である場合、あるいは人物が接近してきた場合に、上記無線通信ユニット２１によりＩＣカードＣに対して応答を要求する応答要求を送信する（ステップＳ１１）。これに対して、上記携帯電話機１に装着されている状態のＩＣカードＣは、上記携帯電話機１からの電源供給を受けて受信待ちの状態となっている。このようなＩＣカードＣが装着されている携帯電話機１の所持者は、上記自動改札機２０と通過しようとする際に、上記無線通信ユニット２１の通信圏内に当該携帯電話機１を翳す。
【００２３】
当該携帯電話機１が翳されることにより上記アンテナ１９が上記無線通信ユニット２１の通信圏内に入ると、上記携帯電話機１に装着されているＩＣカードＣは、上記アンテナ１９を介して無線通信部３５にて上記自動改札機２０からの応答要求を受信する（ステップＳ１２）。上記自動改札機２０からの応答要求を受信すると、上記ＩＣカードＣの制御素子３０は、上記不揮発性メモリ３３の記憶領域３３ａから乗車券情報を読出し、上記無線通信部３５により上記アンテナ１９を介して上記自動改札機２０へ上記乗車券情報を送信する（ステップＳ１３）。
【００２４】
上記ＩＣカードＣから送信された乗車券情報は、上記自動改札機２０の無線通信ユニット２１により受信される。上記ＩＣカードＣからの乗車券情報を受信すると（ステップＳ１４）、上記自動改札機２０は、上記ＩＣカードＣから受信した乗車券情報と当該自動改札機２０の設置されている駅情報などの入場の可否を判定するための情報（予め設定されている情報）とに基づいて、当該ＩＣカードＣによる入場の可否を判定する入場判定処理を行う（ステップＳ１５）。
【００２５】
この入場判定処理により当該ＩＣカードＣによる入場の可否を判定すると、上記自動改札機２０は、その入場判定処理の判定結果を示す情報を当該ＩＣカードＣへ送信する（ステップＳ１６）。例えば、上記入場判定処理の判定結果が入場を許可すると判定した場合、上記自動改札機２０は、上記無線通信ユニット２１により入場許可を示す情報とともに、入場駅や入場時刻等を示す入場情報を当該ＩＣカードＣへ送信する。
【００２６】
さらに、上記入場判定処理の判定結果を送信すると、上記自動改札機２０では、当該判定結果に基づいて当該ＩＣカードＣの所持者に対する入場制御（通行制御）を行う（ステップＳ１７）。例えば、上記判定結果により入場可を判定した場合、上記自動改札機２０は、図示しない通行制御手段としてのドア等を開放するとともに、図示しない表示部等の報知手段により入場を許可する旨の通知を行うことにより、当該ＩＣカードＣの所持者の通行を許可する処理を行う。また、上記判定結果により入場を不許可と判定した場合、上記自動改札機２０は、図示しない通行制御手段（通行阻止手段）としてのドア等を閉鎖するとともに、図示しない表示部等の報知手段により入場が不許可である旨の通知を行うことにより、当該ＩＣカードＣの所持者の通行を阻止する処理を行う。
【００２７】
一方、上記ＩＣカードＣでは、上記自動改札機２０から送信された判定結果を示す情報を上記アンテナ１９を介して上記無線通信部３５により受信する（ステップＳ１８）。上記自動改札機２０から判定結果を示す情報を受信すると、上記ＩＣカードＣの制御素子３０は、受信した判定結果により入場が許可されたか否かを判断する（ステップＳ１９）。
【００２８】
この判断により入場が許可されたと判断した場合（ステップＳ１９、ＹＥＳ）、上記ＩＣカードＣの制御素子３０は、上記不揮発性メモリ３３の記憶領域３３ａに上記自動改札機２０からの入場情報を記憶するとともに（ステップＳ２０）、当該ＩＣカードＣが入場状態となったことを示す入場フラグをセットする（ステップＳ２１）。これにより、上記ＩＣカードＣには、入場フラグがセットされた状態となる。
【００２９】
このようなＩＣカードＣに対して、上記携帯電話機１では、後述するような動作によって入場フラグ及び出場フラグを監視しているものとする。従って、上記のような動作によってＩＣカードソケット１８に装着されているＩＣカードＣが入場フラグをセットすると、上記携帯電話機１は、上記ＩＣカードソケット１８に装着されているＩＣカードＣに入場フラグがセットされたことを判断し、当該ＩＣカードＣに対して現在の着信音の設定情報及び振動機能の設定情報を状態データとして送信するようになっている。
【００３０】
上記携帯電話機１から送信された状態データは、上記入出力インターフェース３４を介して上記ＩＣカードＣに受信される（ステップＳ２２）。上記携帯電話機１からの状態データを受信すると、上記ＩＣカードＣの制御素子３０は、受信した状態データを入場前（入場時）の携帯電話機の状態データとして上記不揮発性メモリ３３の記憶領域３３ａに記憶する（ステップＳ２３）。上記不揮発性メモリ３３に状態データを記憶すると、上記ＩＣカードＣの制御素子３０は、上記携帯電話機１側の状態設定（着信音機能及び振動機能の設定）が行われたものと判断して上記入場フラグを消去する（ステップＳ２４）。
【００３１】
図４は、上記ＩＣカードＣによる上記自動改札機２０での出場処理を説明するためのフローチャートである。  
駅の改札口等に設置されている出場用の自動改札機２０では、待機状態である場合、あるいは人物が接近してきた場合に、上記無線通信ユニット２１によりＩＣカードＣに対して応答を要求する応答要求を送信する（ステップＳ３１）。これに対して、上記携帯電話機１に装着されている状態のＩＣカードＣは、上記携帯電話機１からの電源供給を受けて受信待ちの状態となっている。このようなＩＣカードＣが装着されている携帯電話機１の所持者は、上記自動改札機２０にて出場しようとする際（自動改札機２０を通過しようとする際）に、上記無線通信ユニット２１の通信圏内に当該携帯電話機１を翳す。
【００３２】
当該携帯電話機１が翳されることにより上記アンテナ１９が上記無線通信ユニット２１の通信圏内に入ると、上記携帯電話機１に装着されているＩＣカードＣは、上記アンテナ１９を介して無線通信部３５にて上記自動改札機２０からの応答要求を受信する（ステップＳ３２）。上記自動改札機２０からの応答要求を受信すると、上記ＩＣカードＣの制御素子３０は、上記不揮発性メモリ３３の記憶領域３３ａから乗車券情報及び入場情報を読出し、上記無線通信部３５により上記アンテナ１９を介して上記自動改札機２０へ上記乗車券情報及び入場情報を送信する（ステップＳ３３）。
【００３３】
上記ＩＣカードＣから送信された乗車券情報及び入場情報は、上記自動改札機２０の無線通信ユニット２１により受信される。上記ＩＣカードＣからの乗車券情報を受信すると（ステップＳ３４）、上記自動改札機２０は、上記ＩＣカードＣから受信した乗車券情報および入場情報と、当該自動改札機２０の設置されている駅情報などの出場の可否を判定するための情報（予め設定されている情報）とに基づいて、当該ＩＣカードＣによる出場の可否を判定する出場判定処理を行う（ステップＳ３５）。
【００３４】
この出場判定処理により当該ＩＣカードＣによる出場の可否を判定すると、上記自動改札機２０は、その出場判定処理の判定結果を示す情報を当該ＩＣカードＣへ送信する（ステップＳ３６）。例えば、上記出場判定処理の判定結果が出場を許可するものである場合、上記自動改札機２０は、上記無線通信ユニット２１により出場許可を示す情報とともに、出場駅や出場時刻等を示す出場情報を当該ＩＣカードＣへ送信する。なお、出場情報は必要に応じて送信されるものであり、ＩＣカードＣに入出場の履歴などを記憶する必要がない場合には出場情報を送信しないようにしても良い。
【００３５】
さらに、上記出場判定処理の判定結果を送信した自動改札機２０では、当該判定結果に基づいて当該ＩＣカードＣの所持者に対する出場制御（通行制御）を行う（ステップＳ３７）。例えば、上記判定結果により出場可と判定した場合、上記自動改札機２０は、図示しない通行制御手段としてのドア等を開放するとともに、図示しない表示部等の報知手段により出場を許可する旨の通知を行うことにより、当該ＩＣカードＣの所持者の通行を許可する処理を行う。また、上記判定結果により出場を不許可と判定した場合、上記自動改札機２０は、図示しない通行制御手段（通行阻止手段）としてのドア等を閉鎖するとともに、図示しない表示部等の報知手段により出場が不許可である旨の通知を行うことにより、当該ＩＣカードＣの所持者の通行を阻止する処理を行う。
【００３６】
一方、上記ＩＣカードＣでは、上記自動改札機２０から送信された出場の判定結果を示す情報を上記アンテナ１９を介して上記無線通信部３５により受信する（ステップＳ３８）。上記自動改札機２０から出場の判定結果を示す情報を受信すると、上記ＩＣカードＣの制御素子３０は、受信した出場の判定結果を示す情報に基づいて出場が許可されたか否かを判断する（ステップＳ３９）。
【００３７】
この判断により出場が許可されたと判断した場合（ステップＳ３９、ＹＥＳ）、上記ＩＣカードＣの制御素子３０は、上記不揮発性メモリ３３の記憶領域３３ａに上記自動改札機２０からの出場情報を記憶するとともに（ステップＳ４０）、当該ＩＣカードＣが出場状態となったことを示す出場フラグをセットする（ステップＳ４１）。これにより、上記ＩＣカードＣには、出場フラグがセットされた状態となる。
【００３８】
このようなＩＣカードＣに対して、上記携帯電話機１では、後述するような動作によって出場フラグを監視しているものとする。従って、上記のような動作によってＩＣカードソケット１８に装着されているＩＣカードＣが出場フラグをセットすると、上記携帯電話機１は、上記ＩＣカードソケット１８に装着されているＩＣカードＣに出場フラグがセットされたことを判断し、当該ＩＣカードＣに対して入場前（入場時）の着信音機能及び振動機能の設定を示す情報（入場前の状態データ）の転送要求を送信する。
【００３９】
上記携帯電話機１からの入場前の状態データの転送要求は、上記入出力インターフェース３４を介して上記ＩＣカードＣに受信される（ステップＳ４２）。上記携帯電話機１からの入場前の状態データの転送要求を受信すると、上記ＩＣカードＣの制御素子３０は、上記不揮発性メモリ３３の記憶領域３３ａに記憶している当該携帯電話機１の入場前の状態データを読出し、当該携帯電話機１へ転送する（ステップＳ４３）。上記不揮発性メモリ３３に記憶されている入場前の状態データを当該携帯電話機１へ転送すると、上記ＩＣカードＣの制御素子３０は、上記携帯電話機１側の状態設定（着信音機能及び振動機能の設定）が行われたものと判断して上記出場フラグを消去する（ステップＳ４４）。
【００４０】
次に、上記ＩＣカードが装着された状態における上記携帯電話機１の動作モードの設定処理について説明する。  
図５は、上記ＩＣカードＣが装着された状態における上記携帯電話機１の動作モードの設定処理の例を説明するためのフローチャートである。
【００４１】
すなわち、上記ＩＣカードソケット１８にＩＣカードＣが装着されている携帯電話機１の制御部１１は、上記ＩＣカードＣ内の不揮発性メモリ３３に上記のような入場フラグ及び出場フラグが設定（記憶）されているか否かを監視し、上記入場フラグ及び上記出場フラグの設定状態に応じて動作モードとしての着信音機能及び振動機能の設定を行うようになっている。
【００４２】
図５に示すように、上記携帯電話機１の制御部１１は、上記ＩＣカードソケット１８に装着されているＩＣカードＣの不揮発性メモリ３３に入場フラグがセットされているか否かを判断する（ステップＳ５１）。
【００４３】
この判断により入場フラグがセットされていると判断した場合、上記携帯電話機１の制御部１１は、まず、現在（入場時）の動作モードの設定状態として、現在の着信音機能の設定状態と振動機能の設定状態を判別し、現在の着信音設定と振動設定とを示す情報（入場時の状態データ）を生成する。入場時の状態データを生成すると、上記携帯電話機１の制御部１１は、生成した入場時の状態データを上記ＩＣカードソケット１８を介して上記ＩＣカードＣに送信する（ステップＳ５２）。
【００４４】
このように、入場時の状態データをＩＣカードＣへ送信するのは、ＩＣカードＣに当該携帯電話機１の入場時の状態データを保存するためである。つまり、上記携帯電話機１から入場時の状態データが送信されると、上記ＩＣカードＣでは、上述したような動作によって当該携帯電話機１からの入場時の状態データを不揮発性メモリ３３に記憶するようになっている。
【００４５】
上記入場時の状態データをＩＣカードＣへ送信すると、上記携帯電話機１の制御部１１は、当該携帯電話機の動作モードを、上記入場フラグがセットされている場合に設定すべき動作モードとしてのマナーモード（着信音をオフ、振動機能をオンとするモード）に移行する。なお、ここでは、ＩＣカードＣに入場フラグがセットされている場合に所定の入場後の動作モードとしてのマナーモードに移行するように予め携帯電話機１のＲＯＭに設定されているものとする。
【００４６】
すなわち、上記携帯電話機１の制御部１１は、入場時の状態データをＩＣカードＣへ送信した後、着信音をオフに設定するとともに（ステップＳ５３）、振動機能をオフに設定する（ステップＳ５４）。これにより、上記携帯電話機１は、携帯電話機能としての電話や電子メール等の着信があった場合であっても、着信音を発生させることなく、振動だけを発生させる動作モードとなる。
【００４７】
なお、上記マナーモードは、電車内での携帯電話機１の動作モードとして設定することが求められている動作モードである。従って、当該携帯電話機１では、所持者による動作モードの変更指示がなくとも、自動改札機で入場した際にマナーモードに移行することが可能となる。
【００４８】
また、上記判断により上記ＩＣカードＣの不揮発性メモリ３３に入場フラグがセットされていないと判断した場合、上記携帯電話機１の制御部１１は、上記ＩＣカードソケット１８に装着されているＩＣカードＣの不揮発性メモリ３３に出場フラグがセットされているか否かを判断する（ステップＳ５５）。この判断により出場フラグがセットされていると判断した場合、上記携帯電話機１の制御部１１は、上記ＩＣカードＣに対して不揮発性メモリ３３に保存している入場時の状態データを要求する（ステップＳ５６）。これに対して、上記ＩＣカードＣは、上述したような動作によって不揮発性メモリ３３に保存している入場時の状態データを当該携帯電話機１へ送信するようになっている。
【００４９】
上記入場時の状態データの要求に対して上記ＩＣカードＣから送信された入場時の状態データを受信すると、上記携帯電話機１の制御部１１は、ＩＣカードＣから受信した入場時の状態データに基づいて動作モードの設定を行う。この動作モードは入場時における当該携帯電話機１の動作モードである。つまり、上記携帯電話機１は、出場時に、入場時の動作モードの設定を示す状態データをＩＣカードＣから取得し、入場時の動作モードに戻すものである。
【００５０】
ここでは、入場時にマナーモードとして着信音機能及び振動機能を変更している可能性があるため、上記携帯電話機１の制御部１１は、上記入場時の状態データに基づいて着信音機能の設定を行うとともに（ステップＳ５８）、上記入場時の状態データに基づいて振動機能の設定を行う（ステップＳ５９）。これにより、入場時にマナーモードに切り替えられた場合であっても、出場時には、所持者による操作無しで、当該携帯電話機１を元の動作モード（入場時の動作モード）に戻すことが可能となる。
【００５１】
上記のように、本実施の形態のＩＣカードＣは、自動改札機を通過する際に、利用者の入場あるいは出場の可否を判定するための乗車券情報などの情報を自動改札機へ送信し、その情報に基づく当該自動改札機による入場あるいは出場の判定結果を受信し、その判定結果に応じた携帯電話機の動作モードを指定する情報を設定するようにしたものである。これにより、携帯電話機ではＩＣカードが設定した情報に基づいて動作モードを変更することができる。この結果、利用者の利便性を損なうことなく、携帯電話機の動作モードを状況に適した動作モードに変更させることが可能となる。
【００５２】
さらに、上記ＩＣカードＣは、自動改札機にて入場許可と判定された場合、つまり、入場時に、当該携帯電話機の動作モードを入場後の動作モードに変更させる情報（入場フラグ）を設定するようにしたものでる。これにより、携帯電話機は自動改札機での入場時に動作モードを入場後の動作モードにすることができる。この結果、利用者の利便性を損なうことなく、携帯電話機の動作モードを状況に適した動作モードに自動的に変更させることができる。
【００５３】
例えば、上記ＩＣカードＣは、自動改札機にて入場許可と判定された場合、つまり、入場時に、当該携帯電話機の着信音をオフさせる入場フラグを設定するようにしたため、自動改札機での入場時に携帯電話機の着信音をオフさせることができ、利用者の利便性を損なうことなく、携帯電話機の使用マナーを向上させることができる。
【００５４】
さらに、上記ＩＣカードＣは、自動改札機にて入場許可と判定された場合、つまり、入場時に、当該携帯電話機の現在の動作モードの設定情報を記録しておき、自動改札機にて出場許可と判定された場合、つまり、出場時に、当該携帯電話機の動作モードを入場時の状態に戻させる情報（出場フラグ）を設定するようにしたものである。これにより、携帯電話機では、動作モードを入場時に所定の動作モードに変更でき、かつ、出場時に入場前の動作モードに変更することができる。この結果、利用者の利便性を損なうことなく、携帯電話機の動作モードを入場あるいは出場の状況に応じた動作モードに変更できる。
【００５５】
例えば、上記ＩＣカードＣは、自動改札機にて入場許可と判定された場合、つまり、入場時に、当該携帯電話機の着信音をオフさせる入場フラグを設定するとともに、現在の当該携帯電話機の着信音の設定情報を記録しておき、自動改札機にて出場許可と判定された場合、つまり、出場時に、当該携帯電話機の着信音を入場時の状態に戻させる情報（出場フラグ）を設定するようにしたものである。これにより、携帯電話機では、入場時に着信音をオフするとともに、出場時に入場前の着信音の設定に戻すことができる。この結果、利用者の利便性を損なうことなく、携帯電話機の使用マナーを向上させることができる。
【００５６】
なお、上記実施の形態では、自動改札機により入場した際に携帯電話機をマナーモードに移行させ、さらに、自動改札機により出場した際に携帯電話機を入場時の動作モードに移行させるものについて説明したが、出場時にその駅周辺の観光スポットや飲食店、宿泊先などの配信情報を自動改札機からＩＣカードＣに送信し、携帯電話機の表示部に表示することも可能である。
【００５７】
これは、出場時に、自動改札機からＩＣカードへ出場情報とともに配信情報を送信し、その配信情報をＩＣカードＣが不揮発性メモリ３３に記憶し、上記ＩＣカードＣに記憶した配信情報を当該携帯電話機１の表示部に表示することにより実現可能である。また、上記ＩＣカードＣの不揮発性メモリ３３に個人情報や趣味、嗜好などを登録しておき、それらの情報に基づいて選別した配信情報を上記携帯電話機１の表示部に表示するようにしても良い。
【００５８】
これは、上記携帯電話機１が出場フラグが有ると判断した場合に、配信情報をＩＣカードＣに要求し、その要求に応じてＩＣカードＣから送信される情報を表示部に表示するようにすればよい。このようなサービスの形態は、ＩＣカードＣに登録されている情報に基づいて送信されるので特別な手続きは必要なく、利用者側は出場駅周辺の情報を容易に取得することができ、サービス提供側は効果的に広告情報などを提供することができる。
【図面の簡単な説明】
【００５９】
【図１】本発明の実施の形態に係る携帯端末機器としての携帯電話機の構成例を示すブロック図。
【図２】図１の携帯電話機に装着される電子装置としてのＩＣカードの構成例を示すブロック図。
【図３】自動改札機での入場時におけるＩＣカードの動作例を説明するためのフローチャート。
【図４】自動改札機での出場時におけるＩＣカードの動作例を説明するためのフローチャート。
【図５】ＩＣカードとそのＩＣカードが装着されている携帯電話機と処理の例を説明するためのフローチャート。
【符号の説明】
【００６０】
Ｃ…ＩＣカード（携帯端末機器に装着される電子装置）、１…携帯電話機（携帯端末機器）、１１…制御部、１４…音声部、１５…電源部、１７…振動部、１８…ＩＣカードソケット、１９…アンテナ、２０…自動改札機（通信制御装置）、３０…制御素子、３１…ＲＡＭ、３２…ＲＯＭ、３３…不揮発性メモリ、３３ａ…記憶領域、３４…入出力インターフェース、３５…無線通信部
【図１】
2006033292.tif 000003
【図２】
2006033292.tif 000004
【図３】
2006033292.tif 000005
【図４】
2006033292.tif 000006
【図５】
2006033292.tif 000007